(57)【要約】      （修正有）【課題】可搬性に優れ、舞台上で容易かつ迅速に設置や撤去が可能な舞台用映写装置を提供する。【解決手段】ディスプレイ手段とハーフミラーと再帰性ミラーとを含み、ディスプレイ手段と再帰性ミラーとが75度以上105度以下を成すよう配置され、ハーフミラーがディスプレイ手段および再帰性ミラーのそれぞれと30度以上60度以下を成すよう配置され、ハーフミラーがディスプレイ手段に表示される映像を反射し、次いで再帰性ミラーが反射された映像を再帰反射し、ハーフミラーを透過させることで、ハーフミラーから見て再帰性ミラーの反対側の位置に空中像を映写する舞台用映写装置を提供する。【選択図】図１
2018077421.tif 000002
【特許請求の範囲】
【請求項１】
ディスプレイ手段とハーフミラーと再帰性ミラーとを含む舞台用映写装置であって、
前記ディスプレイ手段と前記再帰性ミラーとが75度以上105度以下を成すよう配置され、
前記ハーフミラーが、前記ディスプレイ手段および前記再帰性ミラーのそれぞれと30度以上60度以下を成すよう配置され、
前記ハーフミラーが、前記ディスプレイ手段に表示される映像を反射し、
次いで前記再帰性ミラーが前記反射された映像を再帰反射し、前記ハーフミラーを透過させることで、前記ハーフミラーから見て前記再帰性ミラーの反対側の位置に前記表示される映像に対応する空中像を映写する舞台用映写装置。
【請求項２】
前記ハーフミラーは下辺よりも上辺が長い台形を成すことを特徴とする請求項１に記載の舞台用映写装置。
【請求項３】
前記ハーフミラーを略水平位置に設置可能にした請求項１、または、請求項２に記載の映写装置。
【請求項４】
前記ハーフミラーは硬質の素材から成ることを特徴とする請求項３に記載の映写装置。
【発明の詳細な説明】
【技術分野】
【０００１】
本願発明は、主に舞台上で使用される舞台用映写装置、特に、立体的映像を演者と並べて映写可能な舞台用映写装置に関する。
【背景技術】
【０００２】
立体的映像を舞台上に映写することで斬新な舞台効果を実現するために多くの技術が提案・使用されている。
【０００３】
そのような立体的映像の映写手法の中で、古くから知られているものにペッパーズ・ゴーストと呼ばれる手法がある。透過性と反射性とを有する板ガラス等から成るスクリーンに前方から像を映写することで、スクリーン後方に像を浮かび上がらせる手法である（たとえば、特許文献１）。この手法は、スクリーン後方に像が浮かぶことから、人間の演者と像との位置関係には制限があった。また、像の明るさという点でも制限があった。
【０００４】
半透明のスクリーンに観客側から見て後方より映像を投影する方法も周知である（たとえば、特許文献２）。この手法もスクリーン前方に演者がいるとスクリーンが隠されてしまうため、観客にとって人間と映像とが完全に一体となって見えるような舞台効果を実現することは困難であった。また、これらの技術は、可搬性という点でも課題があり、舞台上で容易かつ迅速に設置や撤去が可能な舞台用映写装置が望まれていた。
【先行技術文献】
【特許文献】
【０００５】
【特許文献１】特許公表公報  特表2011-528207
【特許文献２】特許公開公報  特開2011-128604
【発明の概要】
【発明が解決しようとする課題】
【０００６】
可搬性に優れ、舞台上で容易かつ迅速に設置や撤去が可能な舞台用映写装置を提供する。
【課題を解決するための手段】
【０００７】
本願発明は、ディスプレイ手段とハーフミラーと再帰性ミラーとを含む舞台用映写装置であって、前記ディスプレイ手段と前記再帰性ミラーとが75度以上105度以下を成すよう配置され、前記ハーフミラーが、前記ディスプレイ手段および前記再帰性ミラーのそれぞれと30度以上60度以下を成すよう配置され、前記ハーフミラーが、前記ディスプレイ手段に表示される映像を反射し、次いで前記再帰性ミラーが前記反射された映像を再帰反射し、前記ハーフミラーを透過させることで、前記ハーフミラーから見て前記再帰性ミラーの反対側の位置に前記表示される映像に対応する空中像を映写する舞台用映写装置を提供することで前記課題を解決する。
【０００８】
また、本願発明は、前記ハーフミラーは下辺よりも上辺が長い台形を成すことを特徴とする段落０００７に記載の舞台用映写装置を提供することで前記課題を解決する。
【０００９】
また、本願発明は、前記ハーフミラーを略水平位置に設置可能にした段落０００７、または、段落０００８に記載の映写装置を提供することで前記課題を解決する。
【００１０】
また、本願発明は、前記ハーフミラーは硬質の素材から成ることを特徴とする段落０００９に記載の映写装置を提供することで前記課題を解決する。
【発明の効果】
【００１１】
可搬性に優れ、舞台上で容易かつ迅速に設置や撤去が可能な舞台用映写装置を提供できる。
【図面の簡単な説明】
【００１２】
【図１】本願発明の第一の実施例に係る舞台用映写装置の全体構造を表わした図である。
【図２】本願発明に係る舞台用映写装置の動作原理を表わした図である。
【図３】本願発明の第二の実施例に係る舞台用映写装置の全体構造を表わした図である。
【図４】本願発明の第三の実施例に係る映写装置の全体構造を表わした図である。
【発明を実施するための形態】
【００１３】
以下に図を参照しながら本願発明の実施例について説明する。図はすべて例示である。なお、本願発明の舞台用映写装置を、単に映写装置と略すことがある。
【００１４】
図１に本願発明の第一の実施例に係る映写装置の構造の概要を示す。平面ディスプレイ（101）は、映像を表示するための手段であり、典型的には、多数のLEDを配列したLEDディスプレイであるが、平面型またはそれに近い形状のディスプレイ装置であれば任意の技術（たとえば、有機ELディスプレイやプロジェクター）を使用してよい。舞台上での効果を考えると、平面ディスプレイ（101）は２メートル四方から5メートル四方程度の大きさであることが好ましいが、この範囲外の大きさであってもよい。平面ディスプレイ（101）に表示される映像は静止画であってもよく、動画であってもよい。ハーフミラー（102）は、一部の光を反射し、一部の光を透過する素材（望ましくは反射光と透過光との割合が１：１）から成る部材（ビームスプリッター）であり、透明プラスチック膜にアルミニウム等の金属を蒸着させたフォイル状の素材等を張力を維持するよう張った構造でもよいが、アルミニウム等の金属を蒸着したアクリル樹脂やガラスなどの硬質の素材であってもよい。このようなハーフミラー（102）としては、たとえば旭化成イーマテリアルズ社製（商品名WGF（登録商標））等が市販されている。再帰性ミラー（103）は、映像の光を入射した方向へと反射する部材であり、たとえばシート状である再帰反射シートである。代表的な再帰反射シートとしては、プリズム型再帰反射シートとビーズ型再帰反射シートとが知られている。プリズム型再帰反射シートは、複数のプリズム型再帰反射素子を有する。代表的なプリズム型再帰反射素子は、３つの互いに直交する平面から構成される。プリズム型再帰反射素子に入射した光は、３つの平面に順に反射することで、光源方向へと再帰反射する。このような再帰性ミラー（103）としては、たとえば日本カーバイド工業社製（商品名ニッカライト（登録商標）クリスタル・グレード92000シリーズ）が市販されている。以下で示す原理により、ハーフミラー（102）の前方（客席側）に、空中像（104）を映写することができる。なお、平面ディスプレイ（101）と再帰性ミラー（103）とは図１に示したようにほぼ直角を成してもよいが、75度以上105度以下であってもよく、好ましくは80度以上100度以下であってよく、より好ましくは85度以上95度以下であってよい。同様に、ハーフミラー（102）と、平面ディスプレイ（101）と再帰性ミラー（103）のそれぞれとは図１に示したようにほぼ45度を成してもよいが、30度以上60度以下であってもよく、好ましくは35度以上55度以下であってよく、より好ましくは40度以上50度以下であってよい。
【００１５】
図２に本願発明に係る映写装置の動作原理を示す。矢印は映像の光の反射と透過の方向を表わす模式的表記である。平面ディスプレイ（101）に表示された映像の光は、一部はハーフミラー（102）を透過して上方に向かうが、一部がハーフミラー（102）により反射されて再帰性ミラー（103）に向かい、再帰性ミラー（103）により光が入射した方向へと再帰反射される。さらに、再帰性ミラー（103）により再帰反射された光の一部はハーフミラー（102）を透過し、観客の視線（201）に向かう。なお、図中の視線（201）は、観客が見る方向を表わす模式的表現であり、眼の実際の縮尺を意図したものではない。これにより、観客にとっては、ハーフミラー（102）の前方（再帰性ミラー（103）の反対側の位置）に平面ディスプレイ（101）に表示された映像に対応する空中像（104）が浮かび上がるように見える。真の意味での三次元映像ではないが、舞台を見ている観客にとっては、あたかも舞台上に空中像（104）が浮かび上がっているかのような立体的な視覚効果が得られる。また、舞台上の歌手、ダンサー、楽器奏者等の演者と空中像（104）中の登場人物とが並んで、または、重なり合ってパフォーマンスをしているかのような舞台効果を提供することもできる。
【００１６】
平面ディスプレイ（101）は、小型のディスプレイ装置を多数並べることで実現してもよい。また、再帰性ミラー（103）も、小型のミラーを組み合わせる、あるいは、シート状になったミラー素材をボードに貼り付けることで実現してよい。さらに、ハーフミラー（102）としてフォイル状の素材を利用することもできるので、本願発明に係る映写装置は可搬性に優れ、舞台上で容易かつ迅速に設置や撤去が可能である。
【００１７】
図３に本願発明の第二の実施例に係る映写装置の全体構造を示す。舞台においては、すべての観客がこの映写装置の真正面から映像を見られるわけではなく、舞台側から見て横側の席から観賞することになる観客も存在することになる。立体的映像を観賞できる範囲をできるだけ広くするために、ハーフミラー（102）は、観客側から見て下辺（301）よりも上辺（302）が長い逆台形の形状であることが好ましい。なお、本願映写装置の第二の実施例において、ハーフミラー（102）の上辺（301）および下辺（302）とは、ハーフミラー（102）の平面ディスプレイ（101）に表示された映像の光を反射する面が成す四角形のほぼ平行である二つの辺であり、ハーフミラー（102）の上辺（301）は再帰性ミラー（103）に近い辺であり、ハーフミラー（102）の下辺（302）は平面ディスプレイ（101）に近い辺である。第二の実施例に係る映写装置において、ハーフミラー（102）は、前述の効果が得られる形状であればよく、上辺と下辺とがほぼ平行である形状であればよい。たとえば平面ディスプレイ（101）に表示された映像の光を反射する面が四角形ではなく多角形であってもよく、曲線を含む形状であってもよい。ハーフミラー（102）の上辺と下辺との長さの比は、前述の効果が得られるのであれば特に制限はないが、たとえば、上辺（301）の長さと下辺（301）の長さとの比が5対1から1.01対1の範囲であることが好ましく、2対1から1.05対1の範囲であることがより好ましく、1.5対1から1.1対1の範囲であることががさらに好ましい。このようにすることで、本願に係る映写装置は、平面ディスプレイ（101）の大きさを一定としつつ、横側の席から観賞することになる観客も立体的映像の上部を鑑賞でき、かつたとえば長方形状のハーフミラー（102）と比較して舞台上の演者の移動範囲をより広く確保ことができる。本願に係る映写装置の生産において最もコストを要し、また、重量がある構成要素はディスプレイ手段、すなわち平面ディスプレイ（101）であるため、平面ディスプレイ（101）の大きさを抑えつつ、立体的映像を観賞できる範囲をできるだけ広くすることは、生産コストの削減および可搬性の向上に貢献する。
【００１８】
図４に本願発明の第三の実施例（右側面図）を示す。本実施例では、平面ディスプレイ（101）、ハーフミラー（102）、および、再帰性ミラー（103）から成る構造体全体をハーフミラー（102）がほぼ水平になる態様で舞台に設置する。なお、図中の視線（402）は観客の見る方向を表わす模式的表現であり、眼の実際の縮尺を意図したものではない。構造体全体を動力または人力で回転可能にし、第一の実施例（再帰性ミラー（103）がほぼ垂直となる態様）と第三の実施例を切り替え可能にしてもよい。本実施例では、ハーフミラー（102）は、人間または舞台セットの一部を上に載せられるほどの強度を有する硬質な素材にすることが好ましい。たとえば、8mmから20mm厚の強化ガラスを2枚で合わせガラスとしたもの、30mmから200mm厚の積層アクリル、または、10mmから15mm厚のガラス2枚と30mm厚、30mm厚、並びに40mm厚の3枚のアクリルの重ね合わせなどが安全性の面から特に好ましい。第三の実施例では、ほぼ水平になったハーフミラー（102）上で人間の演者（401）が空中像（104）とが並んだ位置でパフォーマンスを行なうこと、および、実際のセットと空中像（104）とを並んだ位置で映写すること等が可能となり、斬新な舞台効果を実現可能である。なお、空中像は垂直ではなく斜めに映写されることから、観客席から見た時に自然な映像が得られるよう、平面ディスプレイ（101）に映写する映像に予め歪みの補正を施しておいてもよい。
【００１９】
（本願発明による技術的に顕著な効果）
本願発明に係る映写装置により舞台上で映写される立体的映像と人間の演者とを自然に並べることができ、斬新な舞台効果を実現できる。また、本願発明に係る映写装置は市場で容易に入手可能な物品から構成され、低いコストで製造可能である。また、可搬性に優れ、舞台上への設置、撤去、運搬も容易に行なうことができる。
【図１】
2018077421.tif 000003
【図２】
2018077421.tif 000004
【図３】
2018077421.tif 000005
【図４】
2018077421.tif 000006